(57)【要約】【課題】誘導灯の停電時発光時間を実効的に延長し、バッテリ周りに故障が生じても機能が失われないようにする。【解決手段】文字、記号、図案等を描画した蓄光性を有する表示部材１の後背に照明体２を近接配置し、照明体２の発光時に表示部材１を照明しつつ蓄光させ、照明体２の非発光時に表示部材１を燐光発光させるようにした。  【選択図】図３
2008158057.tif 000002
【特許請求の範囲】
【請求項１】
文字、記号、図案等を描画した蓄光性を有する表示部材と、
前記表示部材の後背に近接させて配置した照明体とを具備し、
前記照明体の発光時に前記表示部材を照明しつつ蓄光させ、照明体の非発光時に表示部材を発光させるようにした発光表示装置。
【請求項２】
前記照明体が面発光するものである請求項１記載の発光表示装置。
【請求項３】
前記照明体が薄板状をなし前記表示部材に略重合している請求項１または２記載の発光表示装置。
【請求項４】
前記表示部材及び前記照明体を保持体に保持させており、それら表示部材と照明体とのうち少なくとも一方が着脱可能である請求項１、２または３記載の発光表示装置。
【請求項５】
前記保持体が枠状をなし前記表示部材及び前記照明体の周縁部をともに保持している請求項４記載の発光表示装置。
【請求項６】
前記照明体がＥＬ（ＥｌｅｃｔｒｏＬｕｍｉｎｅｓｃｅｎｃｅ）である請求項１、２、３、４または５記載の発光表示装置。
【発明の詳細な説明】
【技術分野】
【０００１】
本発明は、誘導灯等に適用可能な発光表示装置に関する。
【背景技術】
【０００２】
消防法上、商用施設、宿泊施設等には、非常口や避難通路を表示する誘導灯の設置が義務づけられている。誘導灯は、災害により停電が発生したとしても点灯し続けることが要求されるので、その要求を満たすべくバッテリを内包した電源回路が付帯していることが通例である（例えば、下記特許文献を参照）。
【特許文献１】特開２００６−２８６３３９号公報
【発明の開示】
【発明が解決しようとする課題】
【０００３】
既存の誘導灯は停電後も数十分から一時間程度は点灯し続けるが、それ以上に点灯時間を引き延ばそうとするとバッテリの大容量化が避けられず、コスト増を招く。
【０００４】
また、バッテリ周りに故障が生じる可能性も皆無ではない。そうなれば、停電時に点灯せず、避難者誘導の用に供し得ないこととなる。
【０００５】
以上に鑑みてなされた本発明は、簡便な構成で発光時間を実効的に延長し、バッテリ周りに故障が生じても機能が失われないようにすることを所期の目的としている。
【課題を解決するための手段】
【０００６】
上述した課題を解決するべく、本発明では、文字、記号、図案等を描画した蓄光性を有する表示部材と、前記表示部材の後背に近接させて配置した照明体とを具備する発光表示装置を構成した。このようなものであれば、前記照明体の発光時に前記表示部材を照明しつつ蓄光させ、照明体の非発光時に表示部材を発光させることが可能である。結果として、停電時の発光時間が実効的に延長し、またバッテリの蓄電によらず発光機能を具現できるためバッテリ周りに故障が生じたとしても機能が担保される。
【０００７】
表示部材の略全域を満遍なく照明するためには、前記照明体が面発光するものであることが望ましい。
【０００８】
前記照明体が薄板状をなし前記表示部材に略重合しているならば、装置全体の薄型化に奏効する。
【０００９】
前記表示部材及び前記照明体を保持体に保持させており、それら表示部材と照明体とのうち少なくとも一方が着脱可能であるならば、照明体の寿命が到来したときに照明体を交換できる。あるいは、表示部材の交換を通じて文字、記号、図案等の表示内容を随意に変更できる。
【００１０】
前記保持体が枠状をなし前記表示部材及び前記照明体の周縁部をともに保持しているならば、保持体による装置の重厚長大化を回避でき、建築構造物の壁面、床面または天井面近傍への設置に好適となる。
【００１１】
薄板状をなす照明体の例としては、ＥＬ（ＥｌｅｃｔｒｏＬｕｍｉｎｅｓｃｅｎｃｅ）を挙げることができる。
【発明の効果】
【００１２】
本発明によれば、簡便な構成で表示装置の停電時発光時間を実効的に延長でき、バッテリ周りに故障が生じても表示装置としての機能が担保される。
【発明を実施するための最良の形態】
【００１３】
以下、本発明の一実施形態を、図面を参照して説明する。本発光表示装置は、例えば非常口や避難通路を表示する誘導灯として用いられるものであって、文字、記号、図案等の表示内容１１（図示例では、非常口の文字及びマーク、非常口の方向を示す矢印）を描画した表示部材１と、その表示部材１の後背に近接配置した照明体２とを具備する。
【００１４】
具体的には、図１ないし図３に示すように、薄板状をなす表示部材１と、薄板状をなす照明体２とを互いに略平行に前後に重ね、これらを保持体６によって一体的に保持させている。表示部材１の前方には無色透明の例えば塩化ビニル製の保護板３を、表示部材１と照明体２との間には透光性を有する例えばアクリル製の中間板４を、表示部材１の後方には例えば塩化ビニル製の裏板５を、それぞれ配置している。保護板３、中間板４及び裏板５もまた、保持体６に保持させている。
【００１５】
表示部材１は、蓄光性を有する蓄光板の正面に表示内容１１のマーキングフィルムを貼付したり、表示内容１１をスクリーン印刷したりして作製する。あるいは、デキストリン等の水溶性材料を敷設した土台に表示内容１１の反転像を印刷し、その上に接着剤を塗布して粒状の蓄光材を薄板状をなすように敷設し接着、しかる後に土台を水中に浸漬して水溶性材料を溶融させ印刷層ごと蓄光材層を剥離させるという作製手法も採り得る。
【００１６】
照明体２はＥＬ、特に無機ＥＬである。この照明体２は、表示部材１に臨む正面が面発光する。照明体２には、電源コード２１を介して図示しない電源回路を接続している。電源回路は、インバータ、バッテリ等を内包してなり、平常時は外部のコンセントから給電を受けて照明体２を点灯または点滅させる。停電が発生した暁には、バッテリに充電した電力を以て照明体２の点灯または点滅を維持する。尤も、バッテリは必須要素ではない。表示部材１が蓄光していれば、停電が発生して照明体２が消灯したとしても表示部材１が燐光発光し得るからである。
【００１７】
保持体６は、例えばアルミニウム製の金属成形品である。本実施形態では、保護板３、表示部材１、中間板４、照明体２及び裏板５が正面視略同一形状をなしており、保持体６もまたこれら部材１、２、３、４、５の周縁形状に略対応した枠状をなしている。保持体６の内周側には凹溝６１を形成してあり、上記五枚の部材１、２、３、４、５を密接に重合させた状態でその周縁部を凹溝６１内に挿入して保持させるようにしている。各部材１、２、３、４、５は、保持体６の凹溝６１に対して挿脱することが可能である。保持体６の所定箇所には、電源コード２１を配線する配線口６２を設けている。
【００１８】
平常時には、照明体２を点灯または点滅させ、表示部材１を背後から照明するとともに、この表示部材１に蓄光させる。停電時、照明体２が消灯すると、蓄光していた表示部材１自体が発光する。照明体２を数分から十数分程度点灯しておけば、十時間程度に亘って表示部材１を燐光発光させ続けることができる。
【００１９】
本実施形態によれば、文字、記号、図案等１１を描画した蓄光性を有する表示部材１と、前記表示部材１の後背に近接させて配置した照明体２とを具備する発光表示装置を構成したため、前記照明体２の発光時に前記表示部材１を照明しつつ蓄光させ、照明体２の非発光時に表示部材１を発光させることが可能である。結果として、停電時の発光時間が実効的に延長し、またバッテリの蓄電によらず発光機能を具現できるためバッテリ周りに故障が生じたとしても機能が担保される。
【００２０】
前記照明体２が面発光するものであるため、表示部材１の略全域を満遍なく照明するとともに、表示部材１の略全域に満遍なく蓄光させることが可能である。これにより、平常時、停電時を通じて、表示内容１１が必要十分に視認容易となる。
【００２１】
前記照明体２が薄板状をなし前記表示部材１に略重合しているため、装置全体の薄型化に奏効する。
【００２２】
前記表示部材１及び前記照明体２を保持体６に保持させており、それら表示部材１と照明体２とがそれぞれ着脱可能であるため、照明体２の寿命が到来したときに照明体２を交換できる。並びに、表示部材１の交換を通じて文字、記号、図案等の表示内容１１を随意に変更できる。
【００２３】
前記保持体６が枠状をなし前記表示部材１及び前記照明体２の周縁部をともに保持しているため、保持体６による装置の重厚長大化を回避でき、建築構造物の壁面、床面または天井面近傍への設置に好適となる。
【００２４】
照明体２としてＥＬを採用しているため、薄型化が容易でかつ面発光にも適している。
【００２５】
なお、本発明は以上に詳述した実施形態に限られるものではない。上記実施形態では、発光表示装置及び表示部材、照明体が正面視略方形状の薄板体となっていたが、他の形状とすることを妨げない。
【００２６】
保持体の形状も、上記実施形態の如きものには限られない。保持体が、表示部材及び照明体の周縁部の一部分のみを保持する、換言すれば周縁部の全部を囲っていなくても構わない。
【００２７】
上記実施形態では、電源回路を保持体の外側に置いていたが、電源回路を保持体の内側に実装してもよい。
【００２８】
上記実施形態では、表示部材と照明体とが別個の部材であったが、表示部材を照明体に対して固着し一体化した発光表示装置を構成してもよい。
【００２９】
照明体は、無機ＥＬや有機ＥＬには限られない。ノートブック型のコンピュータや携帯電話端末等のディスプレイに実装されるような既知の各種照明体（典型的には、光源と薄板状の導光板との組み合わせ）を採用することも考えられる。
【００３０】
本発明に係る発光表示装置の用途が誘導灯に限定されないことは言うまでもない。
【００３１】
その他各部の具体的構成は上記実施形態に限られるものではなく、本発明の趣旨を逸脱しない範囲で種々変形が可能である。
【図面の簡単な説明】
【００３２】
【図１】本発明の一実施形態の発光表示装置を示す斜視図。
【図２】同発光表示装置の分解斜視図。
【図３】同発光表示装置の側断面図。
【符号の説明】
【００３３】
１…表示部材
１１…文字、記号、図案等
２…照明体
６…保持体
【図１】
2008158057.tif 000003
【図２】
2008158057.tif 000004
【図３】
2008158057.tif 000005